(57)【要約】【課題】  ゴルフや野球等のショットやバッテイング時、腰を使って打ちなさいと言われても簡単に体で覚えることは困難であった。【解決の手段】  台座フレーム（１）に正逆回転自在に動く様に取り付けられた足のせフレーム（２）とスタンド（３）を備え、その足のせフレーム（２）のロッド（２ｂ）及びスタンド（３）のロッド（２ｂ）共に歯車（６）、歯車（６）が取付けられ、又スタンド（３）の差し込み管（３ａ）にはアームグリップ（４）が取付けられたものからなる。この２つの歯車（６）、歯車（６）の回転が逆になることを利用した身体ねじり器である。【選択図】図４
2010253215.tif 000002
【特許請求の範囲】
【請求項１】
台座となる台座フレーム（１）に正逆回転自在に動くように取付けられた足のせフレーム（２）とスタンド（３）を備え、その足のせフレーム（２）のロッド（２ａ）、及びスタンド（３）のロッド（３ｃ）、共に歯車（６）が取付けられ、この２つの歯車（６）の回転が逆になる事を利用した身体ねじり器。
【請求項２】
台座フレーム（１）と正逆回転自在に動くように組付けられた回転部分にはスプリングが備えられた請求項１記載の身体ねじり器。
【請求項３】
正逆回転自在で円滑に動くようにベアリング内臓の軸受を備えられた請求項１記載の身体ねじり器。
【発明の詳細な説明】
【技術分野】
【０００１】  本発明は、ゴルフや野球等のショットやバッティングが上達するための練習器に関するものである。
【背景技術】
【０００２】  従来の身体ねじりは、２人１組にて行い身体をねじられる人が仰向けに寝、肩が床に着いた状態で下半身だけを廻し、他の１人が下半身を廻した足と肩を抑え、体重を掛けて押し付ける方法による身体ねじりを行うのが一般的であった。
【発明の開示】
【発明が解決しようとする課題】
【０００３】  しかしながら、上記の身体ねじりに当っては、楽な姿勢で身体ねじりをすることができず、又苦痛の割に運動の効果は少なく、他人の手を借りずに、腰に過激な負荷が掛らないように自分自身でコントロールが出来て、しかも下半身始動のスイングが身体で覚えられる身体ねじり運動器具が望まれていた。【０００４】  この発明は、上記のような課題に鑑み、その課題を解決すべく創案されたものであって、その目的とするところは野球のバッティングの姿勢で身体をねじることができ、しかもその際に同時に種々の筋力も鍛えることが出来、特に腰の動きを中心にボールを打ったりする競技の向上となるなどの利点を要した身体ねじり器を提供することにある。
【課題を解決するための手段】
【０００５】  以上の目的を達成するために、この発明は台座となる台座フレームに正逆回転自在に動くように取付けられた足のせフレームとスタンドを備え、その足のせフレームのロッド、及びスタンドのロッド、共に歯車が取付けられている。【０００６】  ここで好ましい態様として、台座となる台座フレームと正逆回転自在に組付けられた回転部分にはスプリングを取付ける。身体ねじり器を使用していない時や、回転力を与えない時は中立状態に戻るようにするのがよい。【０００７】  正逆回転が円滑に行なえるようにベアリング内蔵の軸受を備え付けることにより、腕の力で旋回を行う事で足の爪先にまで力が加わり身体のねじりを体全体で体感することが出来る。
【発明の効果】
【０００８】  以上の記載よりこの発明に係る身体ねじり器によれば、野球のバッテイングの姿勢において、スタンドに差し込んだアームグリップを自分自身の力で回旋させると歯車が回転し、スタンドと足のせフレームとが反対側に旋回することで身体のねじりが出来る。この身体ねじり器によると足のつま先まで力が伝わり下半身始動のスイングが体で覚えられる。特に身体のねじりによりボールを打ったりする競技の向上の効果がある。又、自分自身の力の強弱で自分に合った身体ねじりが出来る。
【発明を実施するための最良の形態】
【０００９】  以下、図面に記載の発明の実施の形態に基づいて、この発明をより具体的に説明する。
ここで、図１は身体ねじり器の正面図、図２は身体ねじり器の左側面の断面図、図３は身体ねじり器の平面図【００１０】  身体ねじり器は、トレーニング器具の一つであり、身体をねじるために使用されるもので、台座となる台座フレーム（１）に正逆回転自在に取付けられた足のせフレーム（２）とスタンド（３）を備え、その足のせフレーム（２）のロッド（２ｂ）及び、スタンド（３）のロッド（３ｃ）に共に歯車（６）が取付けられ、その２つの歯車（６）と歯車（６）の回転が逆になる事を利用した身体ねじり器で、歯車（６）と歯車（６）の噛み合わせにより回転力が伝わるよう配置されている。又スタンド（３）の差し込み管にはアームグリップ（４）が挿入されているものなどから主に構成されている。【００１１】  台座フレーム（１）は台形に切断されたプレートでその台形の４角にはアジャスターボルト（８）を取付ける穴加工が施されている。又、中央付近には２本の軸が通る丸穴加工、及び軸の回転を円滑にするひしフランジ形軸受（５）が取付く穴加工がされている。【００１２】  足のせフレーム（２）は、足のせ（２ａ）とロッド（２ｂ）とから形成され、足のせ（２ａ）は一般に滑り止めを兼ねて使用されるチェッカープレートを使い曲げ加工を両端に施し、左右対称で中心位置の下側にロッド（２ｂ）が垂直方向に固設されている。そのロッド（２ｂ）には歯車（６）が取付けられアームグリップ（４）からの力を伝達し、足のせフレーム（２）が回転する様丸鋼の軸にキー溝が加工されている。【００１３】  スタンド（３）はアームグリップ（４）を差し込む差し込み管（３ａ）と動力を伝える旋回バー（３ｂ）、及び歯車（６）が取付けられたロッド（３ｃ）から構成される。差し込み管（３ａ）はアームグリップ（４）が差し込まれるように、中空のパイプが使用され、旋回バー（３ｂ）はその差し込み管（３ａ）に横向きにＬ形に形成され、厚手の平板からなり差し込み管（３ａ）と反対端には垂直下向きにロッド（３ｃ）が固設されている。旋回バー（３ｂ）は両端を丸く加工されたものからなる。【００１４】  そのロッド（３ｃ）には歯車（６）が取付けられ、アームグリップ（４）からの力を伝達する様丸鋼の軸にキー溝が加工されている。【００１５】  アームグリップ（４）は差し込み管（３ａ）に垂直に差し込まれ、差し込まれる部分より少し上側を外側水平方向に直角に曲げ、又その水平方向から直角上方向に曲げる。以上２ヶ所の曲げ加工を施した丸鋼より成る。【００１６】  ひしフランジ形軸受（５）は正逆回転運動をサポートし、台座フレーム（１）の各上下に取付けられ足のせ（２ａ）とスタンド（３）の回転運動がスムーズに行われるようベアリング使用の市販品の軸受を使用する。【００１７】  歯車（６）は力を伝達する手段として使用される部品で、この身体ねじり器の重要な動きのポイントでもある。足のせフレーム（２）のロッド（２ｂ）及びスタンド（３）のロッド（３ｃ）が差し込まれる穴加工を施し、その穴には力を伝達する様にキーを入れるキー溝加工がされている。【００１８】  スプリング（７）は、らせん状に巻いたコイルに両端にフック式の引っかけを備えた引張コイルばねを使用し鋼線を加工して作られ、引張る事で元の形状に戻ろうとする力を利用したものである。スプリング（７）の両フックの片端は台座フレーム（１）に取付けられた穴明ボルト（９）に掛けられ、他端はロッド（３ｃ）に差し込まれた歯車（６）に取付けられたブラケット（１０）に掛けられている。【００１９】  アジャスターボルト（８）は台座フレーム（１）の４角に取付けられ、身体ねじり器の高さ調整としても使用している。ロッド部はネジ加工が施され台座フレーム（１）に上下の六角ナットで締め付けられている。座の部分は丸形で自由に回転が出来る様形成され一般に市販されている。【００２０】  穴明ボルト（９）は丸鋼で片側より長さの半分はネジ加工、ネジ加工と反対端には穴加工を施し、台座フレーム（１）に上下のナットで締付けて取付けられる。【００２１】  ブラケット（１０）は三角形のプレートで３角は穴加工を施し、２角の穴で歯車（６）に取付ける。
【産業上の利用可能性】
【００１５】  この身体ねじり器は、ゴルフや野球等のショットやバッテイングの下半身始動のスイングが身体で覚えられ、ショットやバッテイングの飛距離アップが期待できる。又、ボールを打つ競技のみでなく、多くのスポーツ競技の向上の効果がある。さらに、身体機能回復用としてトレーニング器具としても利用できる。
【図面の簡単な説明】
【図１】この発明の実施の形態を示す身体ねじり器の正面図である。
【図２】この発明の実施の形態を示す身体ねじり器の左側面の断面図である。
【図３】この発明の実施の形態を示す身体ねじり器の平面図である。
【図４】この発明の実施の形態を示す身体ねじり器を使用する時の左側面図である。
【符号の説明】  １          台座フレーム
２          足のせフレーム
２ａ        足のせ
２ｂ        ロッド
３          スタンド
３ａ        差し込み管
３ｂ        旋回バー
３ｃ        ロッド
４          アームグリップ
５          ひしフランジ形軸受
６          歯車
７          スプリング
８          アジャスターボルト
９          穴明ボルト
１０          ブラケット
【図１】
2010253215.tif 000003
【図２】
2010253215.tif 000004
【図３】
2010253215.tif 000005
【図４】
2010253215.tif 000006